(57)【特許請求の範囲】
【請求項１】
眼科装置の移動を手動で操作する操作レバーの径を変更するために、この操作レバーに複数個取り付けられて一体化される眼科装置用操作レバーの径変更部材において、
各径変更部材の内面は前記操作レバーの外形に沿った形状を有し、前記径変更部材が取り付けられた前記操作レバーの握り部分は略円柱状に構成されることを特徴とする眼科装置用操作レバーの径変更部材。
【請求項２】
前記操作レバーへの取り付け時において前記操作レバーの上部に接触して引っかかるように形成されているフランジ部を備えたことを特徴とする請求項１に記載の眼科装置用操作レバーの径変更部材。
【請求項３】
前記操作レバーに取り付けられて一体化された径変更部材を固定する固定部材を備えたことを特徴とする請求項１に記載の眼科装置用操作レバーの径変更部材。
【請求項４】
装置本体の移動を手動で操作するための操作レバーを備えた眼科装置において、
前記操作レバーに取り付けてこの操作レバーの径を変更するための複数の径変更部材を備えたことを特徴とする眼科装置。
【請求項５】
前記操作レバーに取り付けられた前記複数の径変更部材を固定する固定部材を備えたことを特徴とする請求項４に記載の眼科装置。
【請求項６】
前記装置本体には重量の異なる付属品を任意に選択して接続可能であることを特徴とする請求項４に記載の眼科装置。
【請求項７】
前記操作レバーの外形はテーパ状に構成され、前記複数の径変更部材の内面は前記操作レバーの外形に沿った形状を有し、前記複数の径変更部材が取り付けられた前記操作レバーの握り部分は略円柱状に構成されることを特徴とする請求項４に記載の眼科装置。
【発明の詳細な説明】
【０００１】
【発明の属する技術分野】
本発明は、被検者の被検眼に対する観察や撮影などに用いられ、ジョイスティックのような操作レバーによって操作される眼科装置用操作レバーの径変更部材および眼科装置に関する。
【０００２】
【従来の技術】
一般的に、眼底カメラや細隙灯顕微鏡などのような眼科装置においては、ジョイスティックのような操作レバーを検者が操作して、被検者の被検眼に対して装置本体をアライメントしてから被検眼の観察や撮影などを行っている。なお、装置本体を上下方向に移動させる場合には、検者が手動によりジョイスティックを回転させている。
【０００３】
ここで、上述した眼科装置、例えば眼底カメラの場合、必要に応じてＴＶリレーレンズや電子映像撮影用カメラのような付属品を装置本体に取り付けて被検眼の電子映像による各種の眼底観察を行っている。
【０００４】
【発明が解決しようとする課題】
ところで、上述した眼科装置の装置本体に取り付けられる付属品には装置全体の重量と比較して無視できない程度の重量を有するものがある。特に、眼底カメラに取り付けられる付属品としてのＴＶリレーレンズや電子映像撮影用カメラにおいてはかなりの重量を有しており、これらの付属品を取り付けることにより装置全体が非常に重くなってしまう。従って、装置本体にこのような重量がある付属品が取り付けられていない場合と比較して、装置本体にこのような付属品が取り付けられている場合にジョイスティックを手動により回転させてこの装置本体を上下方向に移動させる時には検者に力が必要となる。そのため、ジョイスティックの操作がしにくく、検者に負担がかかる場合がある。
【０００５】
しかし、装置本体に付属品を取り付ける場合と取り付けない場合などに応じてジョイスティックそのものを交換するためには、ジョイスティックのスイッチ配線を含む分解、組立、およびこれに付随する機構の調整を行う必要があり、その交換作業には時間がかかる。また、ジョイスティックを交換した後に架台カバーを取り付ける場合には、交換したジョイスティックの径（太さ）に応じて架台カバーも交換する必要があり、その交換作業にも手間がかかる。
【０００６】
本発明は上記事情に鑑みてなされたものであり、本発明の目的は、装置本体に取り付ける付属品の重量に応じてジョイスティックの回転をしやすいような径（太さ）に変更するための径変更部材を取り付け可能とし、これにより検者の少ない駆動力で装置本体のスムーズな上下方向の移動を容易にした眼科装置用操作レバーの径変更部材および眼科装置を提供することである。
【０００７】
【課題を解決するための手段】
上記課題を解決するために、請求項１に記載の発明は、眼科装置の移動を手動で操作する操作レバーの径を変更するために、この操作レバーに複数個取り付けられて一体化される眼科装置用操作レバーの径変更部材において、各径変更部材の内面は前記操作レバーの外形に沿った形状を有し、前記径変更部材が取り付けられた前記操作レバーの握り部分は略円柱状に構成されることを特徴とする。
【０００８】
上記請求項１に記載の発明の眼科装置用操作レバーの径変更部材において、請求項２に記載の発明は、前記操作レバーへの取り付け時において前記操作レバーの上部に接触して引っかかるように形成されているフランジ部を備えたことを特徴とする。
【０００９】
上記請求項１に記載の発明の眼科装置用操作レバーの径変更部材において、請求項３に記載の発明は、前記操作レバーに取り付けられて一体化された径変更部材を固定する固定部材を備えたことを特徴とする。
【００１０】
また、上記課題を解決するために、請求項４に記載の発明は、装置本体の移動を手動で操作するための操作レバーを備えた眼科装置において、前記操作レバーに取り付けてこの操作レバーの径を変更するための複数の径変更部材を備えたことを特徴とする。
【００１１】
上記請求項４に記載の発明の眼科装置において、請求項５に記載の発明は、前記操作レバーに取り付けられた前記複数の径変更部材を固定する固定部材を備えたことを特徴とする。
【００１２】
上記請求項４に記載の発明の眼科装置において、請求項６に記載の発明は、前記装置本体には重量の異なる付属品を任意に選択して接続可能であることを特徴とする。
【００１３】
上記請求項４に記載の発明の眼科装置において、請求項７に記載の発明は、前記操作レバーの外形はテーパ状に構成され、前記複数の径変更部材の内面は前記操作レバーの外形に沿った形状を有し、前記複数の径変更部材が取り付けられた前記操作レバーの握り部分は略円柱状に構成されることを特徴とする。
【００１４】
【発明の実施の形態】
以下、本発明の実施の形態について図面を参照して説明する。
【００１５】
図１は本発明の実施の形態の眼科装置の一例である眼底カメラの外観構成を示す図である。図１に示す本発明の実施の形態の眼科装置は、図示しないテーブルなどに設置される固定基台６１と、固定基台６１上に設けられ、被検者の被検眼に対する観察や撮影などを行うための装置本体６２と、被検者の顔を固定するために設けられ、垂直方向（上下方向）に移動可能な図示しない顎受けおよび顎当てを有する顎受け部６７とを備えている。
【００１６】
装置本体６２は、被検眼との間のアライメントを行うために固定基台６１上で水平方向（前後方向、左右方向）に移動可能に設けられている架台６２ａと、架台６２ａ上に設けられ、被検眼に対する観察や撮影などを行い、被検眼との間のアライメントのために垂直方向に移動可能に設けられている眼底カメラ６２ｂと、架台６２ａ上に設けられ、眼底カメラ６２ｂを支持するための支持部６２ｃとを備えている。なお、眼底カメラ６２ｂには、対物鏡筒６２ｄと、接眼鏡筒６２ｅと、撮影カメラ６２ｆとがそれぞれ設けられている。
【００１７】
架台６２ａ上には、装置本体６２を挟んで顎受け部６７と反対側に、検者による手動操作により眼底カメラ６２ｂを移動させるための操作レバーとして用いられるジョイスティック６４と、顎受けを垂直方向に移動させるための顎受けスイッチ６５とが設けられている。
【００１８】
図２は本発明の実施の形態の付属品が取り付けられている眼科装置の外観構成を示す図である。図２に示す眼科装置においては、図１に示す眼科装置の構成と比較して、装置本体６２の眼底カメラ６２ａの上部にＴＶリレーレンズ６８および電子映像撮影用カメラ６９が付属品として取り付けられている。なお、ＴＶリレーレンズ６８は複数の撮影用カメラを取り付けることが可能であるように構成されている。
【００１９】
次に、ジョイスティックの構成およびこのジョイスティックに対するその径（太さ）を変更するための径変更部材の取り付けについて説明する。
【００２０】
図３は本発明の実施の形態の眼科装置の架台に設けられている操作レバーとして用いられるジョイスティックに対するその握り部分の径（太さ）を変更するための径変更部材の取り付けを説明するための側面図、図４は本発明の実施の形態の眼科装置の架台に設けられているジョイスティックに対する径変更部材の取り付けを説明するための上面図である。
【００２１】
図３および図４に示すように、ジョイスティック６４の検者の手の握り部分の外形が下部に向かってテーパ状になっており、その太さ（径）が下部に向かって細くなっている。架台６２ａの架台カバー６２ｇには穴部５０が形成されており、ジョイスティック６４の下部は穴部５０を通して架台６２ａの内部に配置される。
【００２２】
ジョイスティック６４の下部には、略半球状の半球体部４０と、半球体部４０の下面に接合されている下端部４１とが設けられている。半球体部４０は、図示しない球軸受けによって保持されており、半球体部４０の中心を支点として旋回可能に構成されている。また、下端部４１は固定基台６１上に形成されている摩擦面を有する固定板（図示しない）上に配置されている。
【００２３】
従って、ジョイスティック６４を前後左右に倒す操作を検者が行うことで下端部４１を固定板上で摺動させ、これにより眼底カメラ６２ｂを水平方向に微動させる。また、検者がジョイスティック６４を回転させることにより、図示しない移動機構が眼底カメラ６２ａを垂直方向に移動させる。
【００２４】
ここで、図２に示すように付属品が取り付けられた眼底カメラ６２ａをジョイスティック６４の回転により垂直方向に移動させる場合には、取り付けられた付属品の重量に応じてジョイスティック６４の回転力量を増加させてその操作性を向上させるために、ジョイスティック６４の握り部分の径を変更する。
【００２５】
まず、ジョイスティック６４の握り部分を複数の（ここでは、２分割された）径変更部材１０、１１で挟み込み、ジョイスティック６４と一体化させる。
【００２６】
図５は本発明の実施の形態の眼科装置の架台に設けられているジョイスティックに取り付けられる径変更部材の構成を示す断面図である。なお、径変更部材１０、１１は、それぞれ左右対称に同様に構成され、ジョイスティック６４と一体化して機能するが、ここでは、図５に示す径変更部材１１について説明する。
【００２７】
図５に示す径変更部材１１は、外側面部１１ａと、ジョイスティック６４に接触する内側面部１１ｂと、径変更部材１１がジョイスティック６４に取り付けられた時に径変更部材１１が下方向に脱落しないためのフランジ部１１ｃとによって構成されている。
【００２８】
内側面部１１ｂはジョイスティック６４の外形に沿った形状を有している。すなわち、内側面部１１ｂはジョイスティック６４の外形に対して逆テーパ状に形成されている。
【００２９】
外側面部１１ａは、テーパ状ではなく、架台６２ａの表面に対して略垂直な面を有している。すなわち、径変更部材１０、１１の厚さは下部に向かって厚くなるように形成されている。従って、径変更部材１０、１１が取り付けられたジョイスティック６４の握り部分は略円柱状になる。
【００３０】
フランジ部１１ｃは、径変更部材１１の上部にその内側（ジョイスティック６４側）に向かって突出して設けられ、ジョイスティック６４への取り付け時にその上部に接触して引っかかるように構成されている。
【００３１】
従って、ジョイスティック６４に取り付けられて一体化された径変更部材１０、１１は、ジョイスティック６４に対して上下方向のどちらに対しても抜けないように構成されることになる。
【００３２】
次に、ジョイスティック６４の握り部分を挟み込んだ径変更部材１０、１１に固定部材として用いられる筒状の弾性部材１２をかぶせることにより径変更部材１０、１１の周囲を弾性部材１２で覆う。具体的には、径変更部材１１の外側面部１１ａおよび径変更部材１０の外側面部（外側面部１１ａに対応する）を弾性部材１２で覆う。従って、弾性部材１２の縮む力により径変更部材１０、１１をジョイスティック６４に固定するようにしている。従って、弾性部材１２の縮む力による径変更部材１０、１１とジョイスティック６４の摩擦力により、検者が径変更部材１０、１１を回転させると、ジョイスティック６４も回転することになる。
【００３３】
なお、この場合、弾性部材１２が上下方向にずれないように、外側面部１１ａの上部および下部において外側に向けて突起部２０、２１がそれぞれ形成されている。
【００３４】
弾性部材１２は、例えばゴムによって構成され、弾性部材１２の外側表面は、検者の握る手が滑らないような滑り止め加工処理されている。また、弾性部材１２は抗菌処理されている。
【００３５】
図６は本発明の実施の形態の眼科装置の架台の径変更部材が取り付けられたジョイスティックを示す上面図である。図６に示すように、取り付ける付属品の重量に応じて径変更部材１０、１１の厚さｄを選択し、選択された厚さを有する径変更部材１０、１１でジョイスティック６４を挟んで取り付ける。
【００３６】
上述したように、径変更部材１０、１１はビスなどの固定部材を用いてジョイスティック６４に固定されているわけではない。そのため、ジョイスティック６４の美観を損なうことなく、また架台カバー６２ｇに形成されている穴部５０の径などを変更することなく、さらに眼科装置の分解や組立を行うことなく、ジョイスティック６４に対して径変更部材１０、１１を簡単に着脱させることができる。
【００３７】
なお、径変更部材１０、１１の内面側部のジョイスティック６４と接触する部分の一部において両面テープのような接着部材を設け、この接着部材により径変更部材１０、１１をジョイスティック６４に取り付けるようにして固定することも可能である。
【００３８】
以上のようにしてジョイスティック６４に径変更部材１０、１１を取り付けることにより、検者がジョイスティック６４を握る部分の径を容易に大きくできるので、装置本体を上下方向に移動させるためにジョイスティックを回転させる場合において駆動力が少なくて済み、検者にとってはスムーズに上下方向のアライメント操作を行うことが可能となる。
【００３９】
本発明の実施の形態では、２分割された径変更部材によってジョイスティックの握り部分を挟み込んで取り付けることでジョイスティックの径を変更する場合について説明したが、上述した径変更部材のように分割されていない略円筒状の径変更部材を上方から差し込んでジョイスティックの握り部分に固定できるようにしてもよい。
【００４０】
また、上述した複数に分割された径変更部材をゴムのような弾性部材でそれぞれ構成してジョイスティックを挟み込み、挟み込んだ径変更部材同士の接触部分に両面テープのような接着部材を設けて取り付けるようにして簡易的に固定してもよく、このような取り付けによってもジョイスティックの操作性を損なうことはない。
【００４１】
【発明の効果】
以上、本発明によれば、眼科装置に取り付けられる付属品の重量に応じて、ジョイスティックの握り部分に径変更部材を取り付け、さらに径変更部材の周囲を弾性部材によって固定することにより、眼科装置の分解や組立てを行うことなくジョイスティックの径（太さ）を簡単に変更することができ、これにより、検者におけるジョイスティックの操作性を向上させることが可能となる。
【図面の簡単な説明】
【図１】本発明の実施の形態の眼科装置の一例である眼底カメラの外観構成を示す図である。
【図２】本発明の実施の形態の眼科装置の一例である付属品が取り付けられている眼底カメラの外観構成を示す図である。
【図３】本発明の実施の形態の眼科装置の架台に設けられている操作レバーとして用いられるジョイスティックに対するその握り部分の径を変更するための径変更部材の取り付けを説明するための側面図である。
【図４】本発明の実施の形態の眼科装置の架台に設けられているジョイスティックに対する径変更部材の取り付けを説明するための上面図である。
【図５】本発明の実施の形態の眼科装置の架台に設けられているジョイスティックに取り付けられる径変更部材の構成を示す断面図である。
【図６】本発明の実施の形態の眼科装置の架台の径変更部材が取り付けられたジョイスティックを示す上面図である。
【符号の説明】
１０、１１  径変更部材
１１ａ  外側面部
１１ｂ  内側面部
１１ｃ  フランジ部
１２  弾性部材
２０、２１  突起部
４０  半球体部
４１  下端部
５０  穴部
６１  固定基台
６２  装置本体
６２ａ  架台
６２ｂ  眼底カメラ
６２ｃ  支持部
６２ｄ  対物鏡筒
６２ｅ  接眼鏡筒
６２ｆ  撮影カメラ
６２ｇ  架台カバー
６４  ジョイスティック
６５  顎受けスイッチ
６７  顎受け部
６８  ＴＶリレーレンズ
６９  電子映像撮影用カメラ
【図１】
0004338858.tif 000002
【図２】
0004338858.tif 000003
【図３】
0004338858.tif 000004
【図４】
0004338858.tif 000005
【図５】
0004338858.tif 000006
【図６】
0004338858.tif 000007